(57)【要約】【課題】ジョブ状態や機械状態等のユーザ通知情報が存在するアプリケーションプログラムを任意の画面から呼び出し得る技術を提供する。【解決手段】表示制御部３２は、タッチパネルに表示される任意の画面にショートカットメニューボタンを組み込んで表示する。ユーザがショートカットメニューボタンを操作すると、表示制御部３２は、ユーザ通知情報が存在するアプリケーションプログラムのリストをショートカットメニューで表示する。ショートカットメニューが操作されると、ホーム画面に遷移することなくユーザ通知情報を有するアプリケーションプログラムが起動されて画面表示される。【選択図】図２
2020013279.tif 000002
【特許請求の範囲】
【請求項１】
表示部と、
前記表示部に表示される任意の画面においてユーザにより特定の画面操作がなされた場合に、操作時点においてユーザ通知情報が存在するアプリケーションプログラムのリストをショートカットメニューで表示する表示制御部と、
を備える表示装置。
【請求項２】
前記表示制御部は、前記任意の画面にショートカットメニューボタンを表示し、前記ショートカットメニューボタンが操作された場合に、前記アプリケーションプログラムのリストを前記ショートカットメニューで表示する
請求項１に記載の表示装置。
【請求項３】
前記表示制御部は、前記任意の画面においてユーザの長押し操作がなされた場合に、前記アプリケーションプログラムのリストを前記ショートカットメニューで表示する
請求項１に記載の表示装置。
【請求項４】
前記表示制御部は、前記アプリケーションプログラムのリストがユーザにより選択操作された場合に、操作されたアプリケーションプログラムの画面を表示する
請求項１〜３のいずれかに記載の表示装置。
【請求項５】
前記表示制御部は、前記アプリケーションプログラムのリストがユーザにより選択操作された場合に、操作されたアプリケーションプログラムの前記ユーザ通知情報の画面を表示する
請求項４に記載の表示装置。
【請求項６】
前記任意の画面には、アプリケーションプログラムが表象図形で表示されるホーム画面が含まれ、
前記表示制御部は、前記ユーザ通知情報が存在するアプリケーションプログラムには、前記ユーザ通知情報の存在を示すマークを前記表象図形に関連付けて表示する
請求項１に記載の表示装置。
【請求項７】
前記表示制御部は、前記アプリケーションプログラムのリストがユーザにより選択操作された場合に、前記ホーム画面を表示することなく、操作されたアプリケーションプログラムの画面を表示する
請求項６に記載の表示装置。
【請求項８】
前記表示制御部は、前記アプリケーションプログラムのリストがユーザにより選択操作された場合に、前記ホーム画面を表示することなく、操作されたアプリケーションプログラムの前記ユーザ通知情報の画面を表示する
請求項７に記載の表示装置。
【請求項９】
前記表示制御部は、前記アプリケーションプログラムのリストを前記ユーザ通知情報の重要度に応じて表示する
請求項１〜８のいずれかに記載の表示装置。
【請求項１０】
前記表示制御部は、前記アプリケーションプログラムのリストを前記ユーザ通知情報の数に応じて表示する
請求項１〜８のいずれかに記載の表示装置。
【請求項１１】
前記表示制御部は、前記アプリケーションプログラムのリストを前記ユーザ通知情報の時系列順に表示する
請求項１〜８のいずれかに記載の表示装置。
【請求項１２】
前記表示制御部は、前記アプリケーションプログラムのリストを前記アプリケーションプログラムの使用頻度に応じて表示する
請求項１〜８のいずれかに記載の表示装置。
【請求項１３】
コンピュータに、
表示部に任意の画面を表示するステップと、
前記任意の画面においてユーザにより特定の画面操作がなされた場合に、操作時点においてユーザ通知情報が存在するアプリケーションプログラムのリストをショートカットメニューで表示するステップと、
を実行させるプログラム。
【発明の詳細な説明】
【技術分野】
【０００１】
本発明は、表示装置及びプログラムに関する。
【背景技術】
【０００２】
従来から、デザイン性向上やコストダウンの観点等から、ハードウェアボタンをソフトウェアボタンで代替する技術が知られている。これに伴い、それまではハードウェアボタンの操作により実現していた各種機能、例えば特定アプリケーションプログラムの呼び出し等をソフトウェアボタンで代替する必要がある。
【０００３】
特許文献１には、タッチパネルユニットの表示領域において画像処理に関する標準のメニュー画面の領域を最大限に確保しつつ、ショートカット機能の登録および利用を可能にする技術が記載されている。主制御部は、ショートカット呼出操作が行われた場合に、ショートカットメニュー画面を標準メニュー画面に重ねてタッチパネルユニットに表示させる。また、ショートカットアイコンをショートカットメニュー画面に追加し、さらに、追加アイコンと目的の標準メニュー画面との対応情報を記憶部に記憶させる。主制御部は、ショートカットアイコンが操作された場合に、対応する標準メニュー画面をタッチパネルユニットに表示させる。
【０００４】
特許文献２には、簡単な操作で所望とするアプリケーションの起動を可能にする携帯電話機が記載されている。携帯電話機は、アプリケーションプログラムが起動されるごとに、このアプリケーションプログラムで起動回数をカウントし、起動回数の多いものから予め定められた数のアプリケーションプログラムをメモリのショートカット領域に登録する。そして操作部に設けられたソフトキーの押下が１度だけ押下された場合には、各ソフトキー個々に、起動されているアプリケーションプログラムに応じて固定的に割り当てられている機能で動作させ、２度の押下があった場合には、ショートカット領域に登録されているアプリケーションプログラムの起動処理を行う。
【０００５】
特許文献３には、工作機械の操作盤に設けられているディスプレイに表示する画面を切り換える装置に関し、オペレータが所望の画面に速やかに移動することを可能にすると共に、自分が使いやすい画面で作業できるようにする技術が記載されている。使用頻度の高い画面を呼び出す画面呼出アイコンを複数配置したメニュー画面と、どの画面が表示されていても常に表示されるショートカット画面とを備える。ショートカット画面には、メニュー画面を呼び出すメニュー呼出アイコンが配置される。画面呼出アイコンは、当該アイコンをショートカット画面に表示されるショートカットアイコンとして登録表示及び消去するプログラムの起動ボタン並びにそれらのアイコンで呼び出す画面の選択手段となっている。
【先行技術文献】
【特許文献】
【０００６】
【特許文献１】特開２０１７−４０４２号公報
【特許文献２】特開２００３−１０１６２９号公報
【特許文献３】特開２０１５−２０３９６９号公報
【発明の概要】
【発明が解決しようとする課題】
【０００７】
起動回数の多い、あるいは使用頻度の高いアプリケーションプログラムを呼び出すためのアイコンをショートカット画面に配置することは有効であるが、他方で、アプリケーションプログラムによってはジョブ状態や機械状態等をユーザに通知する場合があり、どのような画面が表示されていてもかかるユーザ通知情報が存在するアプリケーションプログラムを呼び出すことも必要である。
【０００８】
本発明は、ジョブ状態や機械状態等のユーザ通知情報が存在するアプリケーションプログラムを任意の画面から呼び出し得る技術を提供することを目的とする。
【課題を解決するための手段】
【０００９】
請求項１に記載の発明は、表示部と、前記表示部に表示される任意の画面においてユーザにより特定の画面操作がなされた場合に、操作時点においてユーザ通知情報が存在するアプリケーションプログラムのリストをショートカットメニューで表示する表示制御部とを備える表示装置である。
【００１０】
請求項２に記載の発明は、前記表示制御部は、前記任意の画面にショートカットメニューボタンを表示し、前記ショートカットメニューボタンが操作された場合に、前記アプリケーションプログラムのリストを前記ショートカットメニューで表示する請求項１に記載の表示装置である。
【００１１】
請求項３に記載の発明は、前記表示制御部は、前記任意の画面においてユーザの長押し操作がなされた場合に、前記アプリケーションプログラムのリストを前記ショートカットメニューで表示する請求項１に記載の表示装置である。
【００１２】
請求項４に記載の発明は、前記表示制御部は、前記アプリケーションプログラムのリストがユーザにより選択操作された場合に、操作されたアプリケーションプログラムの画面を表示する請求項１〜３のいずれかに記載の表示装置である。
【００１３】
請求項５に記載の発明は、前記表示制御部は、前記アプリケーションプログラムのリストがユーザにより選択操作された場合に、操作されたアプリケーションプログラムの前記ユーザ通知情報の画面を表示する請求項４に記載の表示装置である。
【００１４】
請求項６に記載の発明は、前記任意の画面には、アプリケーションプログラムが表象図形で表示されるホーム画面が含まれ、前記表示制御部は、前記ユーザ通知情報が存在するアプリケーションプログラムには、前記ユーザ通知情報の存在を示すマークを前記表象図形に関連付けて表示する請求項１に記載の表示装置である。
【００１５】
請求項７に記載の発明は、前記表示制御部は、前記アプリケーションプログラムのリストがユーザにより選択操作された場合に、前記ホーム画面を表示することなく、操作されたアプリケーションプログラムの画面を表示する請求項６に記載の表示装置である。
【００１６】
請求項８に記載の発明は、前記表示制御部は、前記アプリケーションプログラムのリストがユーザにより選択操作された場合に、前記ホーム画面を表示することなく、操作されたアプリケーションプログラムの前記ユーザ通知情報の画面を表示する請求項７に記載の表示装置である。
【００１７】
請求項９に記載の発明は、前記表示制御部は、前記アプリケーションプログラムのリストを前記ユーザ通知情報の重要度に応じて表示する請求項１〜８のいずれかに記載の表示装置である。
【００１８】
請求項１０に記載の発明は、前記表示制御部は、前記アプリケーションプログラムのリストを前記ユーザ通知情報の数に応じて表示する請求項１〜８のいずれかに記載の表示装置である。
【００１９】
請求項１１に記載の発明は、前記表示制御部は、前記アプリケーションプログラムのリストを前記ユーザ通知情報の時系列順に表示する請求項１〜８のいずれかに記載の表示装置である。
【００２０】
請求項１２に記載の発明は、前記表示制御部は、前記アプリケーションプログラムのリストを前記アプリケーションプログラムの使用頻度に応じて表示する請求項１〜８のいずれかに記載の表示装置である。
【００２１】
請求項１３に記載の発明は、コンピュータに、表示部に任意の画面を表示するステップと、前記任意の画面においてユーザにより特定の画面操作がなされた場合に、操作時点においてユーザ通知情報が存在するアプリケーションプログラムのリストをショートカットメニューで表示するステップとを実行させるプログラムである。
【発明の効果】
【００２２】
請求項１、１３に記載の発明によれば、ユーザ通知情報が存在するアプリケーションプログラムを任意の画面から呼び出すことができる。
【００２３】
請求項２に記載の発明によれば、さらに、任意の画面に表示されたショートカットメニューボタンの操作によりユーザ通知情報が存在するアプリケーションプログラムを呼び出すことができる。
【００２４】
請求項３に記載の発明によれば、さらに、任意の画面において長押し操作によりユーザ通知情報が存在するアプリケーションプログラムを呼び出すことができる。
【００２５】
請求項４に記載の発明によれば、さらに、アプリケーションプログラムのリストが選択操作されてユーザ通知情報が存在するアプリケーションプログラムの画面が表示される。
【００２６】
請求項５に記載の発明によれば、さらに、アプリケーションプログラムのリストが選択操作されてユーザ通知情報が存在するアプリケーションプログラムのユーザ通知情報の画面が表示される。
【００２７】
請求項６に記載の発明によれば、さらに、ホーム画面においてユーザ通知情報が存在するアプリケーションプログラムが確認され得る。
【００２８】
請求項７，８に記載の発明によれば、さらに、ホーム画面を表示することなく、ユーザ通知情報が存在するアプリケーションプログラムが確認され得る。
【００２９】
請求項９に記載の発明によれば、さらに、ユーザ通知情報の重要度に応じてユーザ通知情報が存在するアプリケーションプログラムが確認され得る。
【００３０】
請求項１０に記載の発明によれば、さらに、ユーザ通知情報の数に応じてユーザ通知情報が存在するアプリケーションプログラムが確認され得る。
【００３１】
請求項１１に記載の発明によれば、さらに、ユーザ通知の時系列順にユーザ通知情報が存在するアプリケーションプログラムが確認され得る。
【００３２】
請求項１２に記載の発明によれば、さらに、使用頻度に応じてユーザ通知情報が存在するアプリケーションプログラムが確認され得る。
【図面の簡単な説明】
【００３３】
【図１】実施形態の画像形成装置の構成図である。
【図２】実施形態の画像形成装置の機能ブロック図である。
【図３】実施形態の画面説明図（その１）である。
【図４】実施形態の画面説明図（その２）である。
【図５】実施形態の画面説明図（その３）である。
【図６】実施形態の画面説明図（その４）である。
【図７】実施形態の処理説明図である。
【図８】実施形態の画面説明図（その５）である。
【図９】実施形態の画面説明図（その６）である。
【図１０】実施形態の画面説明図（その７）である。
【図１１】実施形態の画面説明図（その８）である。
【図１２】実施形態の画面説明図（その９）である。
【図１３】実施形態の処理フローチャートである。
【図１４】変形例１の画面説明図である。
【図１５】変形例２の画面説明図である。
【図１６】変形例２の処理フローチャートである。
【発明を実施するための形態】
【００３４】
以下、図面に基づき本発明の実施形態について、表示装置を備える画像形成装置を例にとり説明する。
【００３５】
図１は、本実施形態における画像形成装置を含むシステム構成図である。システムは、端末装置１０と画像形成装置１２を備える。端末装置１０と画像形成装置１２は、通信ネットワーク１４でデータ送受信可能に接続される。通信ネットワーク１４は、例えばＬＡＮ（ローカルエリアネットワーク）等のデータ通信ネットワークが用いられるが、これに限定されない。
【００３６】
端末装置１０は、通信ネットワーク１４を介して画像形成装置１２に接続され、ユーザの指示に従い、文書の印刷命令を含む印刷ジョブを送信する。
【００３７】
画像形成装置１２は、ＲＯＭ１６、ＲＡＭ１８、ＨＤＤ２０、１つ又は複数のプロセッサで構成される制御部２２、インターフェイスＩ／Ｆ２４、タッチパネル等の操作部２６、プリント部２８を備える。画像形成装置１２は、例えばコピー、ファックス、スキャン、プリント等の複数のアプリケーションプログラム（以下、単に「アプリケーション」という）を起動・実行することで複数の機能を実現する複合機として構成され得る。画像形成装置１２は、基本的な機能モジュールとして、印刷ジョブ受付モジュール、解釈モジュール、描画モジュールを備える。これらの機能モジュールは、１又は複数のプロセッサから構成される制御部２２がＲＯＭ１６に記憶された処理プログラムを実行することで実現される。
【００３８】
印刷ジョブ受付モジュールは、端末装置１０から印刷ジョブを受け付ける。印刷ジョブは、文書を印刷する旨の命令と、印刷対象の文書をページ記述言語で記述したデータを含む。ページ記述言語（ＰＤＬ）は、ディスプレイ表示処理、印刷処理等を情報処理機器に実行させるためのコンピュータプログラミング言語である。ページ記述言語で記述されたデータは、印刷対象の文書を構成する文字や図形、イメージ等のオブジェクトの位置情報、書式情報及び色情報を含む。印刷ジョブ受付部は、受信した印刷ジョブに含まれるＰＤＬデータを解釈モジュールに供給する。
【００３９】
解釈モジュールは、印刷ジョブ受付モジュールから取得したＰＤＬデータを解釈し、その解釈結果に応じて、描画データの生成の手順を表す命令を含む中間データを生成して出力する。解釈部は、中間データを生成して中間データバッファに供給する。
【００４０】
描画モジュールは、中間データバッファに記憶された中間データを読み出し、読み出した中間データに従って描画データ（ラスターデータ）を生成する。例えば、オブジェクトの形状データが示す範囲内の各画素の値を、そのオブジェクトのカラーデータから求め、ページメモリ上の当該画素に対応するアドレスにその画素値を書き込むことでオブジェクトの描画を行う。１ページに含まれる全オブジェクトを描画することで、そのページのラスター画像が形成される。生成された各ページの描画データは出力バッファに格納され、順次読み出されてプリント部２８に供給される。プリント部２８は、出力バッファから読み出した各ページの描画データをロール等の記録媒体に対して印刷する。
【００４１】
プリント部２８は、公知のインクジェット方式の構成を備え、描画データを用紙に印刷する。プリント部２８は、ノズル等から液体あるいは溶融固体インクを吐出し、紙、フィルム等に記録を行う。インクを吐出する方法には、静電誘引力を利用してインクを吐出させるドロップオンデマンド方式（圧力パルス方式）、高熱により気泡を形成・成長させることで生じる圧力を利用してインクを吐出させる熱インクジェット方式等がある。記録ヘッドにより各色のインク滴を中間転写体に吐出して記録し、その後に用紙に転写して印刷する。もちろん、感光体の帯電、露光、現像、転写、定着のプロセスを経るゼログラフィー方式により印刷してもよい。
【００４２】
操作部２６は、ユーザからの各種操作を受け付ける。操作部２６は、タッチパネルを含み、タッチパネルには画像形成装置１２に対してユーザが操作を指示するためのソフトウェアボタンが表示される。制御部２２は、ＲＯＭ１６あるいはＨＤＤ２０に記憶された処理プログラムを実行することで、タッチパネルにソフトウェアボタンを表示する。
【００４３】
図２は、操作部２６でのユーザ操作に応じてアプリケーション画面を表示するとともに各種ソフトウェアボタンを表示する制御部２２の表示機能ブロック図を示す。操作部２６は、タッチパネル等の表示部、及び入力部を備える。入力部には、ハードウェアボタン及びタッチパネルに表示されたソフトウェアボタンが含まれる。制御部２２は、表示機能の機能ブロックとして、表示制御部３２、アプリケーション管理部３４、及びアプリケーション格納部３６を備える。
【００４４】
表示制御部３２は、操作部２６のタッチパネルにアプリケーション画面やソフトウェアボタンを表示する。表示制御部３２は、機能モジュールとしてアプリケーション表示制御部及びショートカットメニュー表示制御部を備える。アプリケーション表示制御部は、アプリケーションの切替等の表示制御を実行するモジュールであり、操作部２６のタッチパネルの操作通知を受け取ると、対応するアプリケーションを起動してタッチパネルに表示する。
【００４５】
ショートカットメニュー表示制御部は、ショートカットメニューの表示制御を実行するモジュールであり、ショートカットメニューの呼び出し機能、ショートカットメニューの表示機能、ショートカットメニューの実行機能を備える。ここで、「ショートカットメニュー」とは、グラフィカルユーザインタフェース（ＧＵＩ）内のアイテムをクリックすることでポップアップするメニューであり、その操作や実行中アプリケーションや選択したアイテムのコンテキストによって変化するオプションの一覧を提供するメニューである。
【００４６】
ショートカットメニューの呼び出し機能は、ショートカットメニューを呼び出すための部品（ソフトウェアボタン）をアプリケーションの一部として組み込むことで実現される。
【００４７】
ショートカットメニューの表示機能は、ショートカットメニューを呼び出すための部品（ソフトウェアボタン）が操作されたときにショートカットメニューを表示することで実現される。ショートカットメニューは、表示されているアプリケーション画面にポップアップ表示される。
【００４８】
ショートカットメニューの実行機能は、表示されたショートカットメニューの項目がユーザにより選択操作されたときに、選択操作の項目に応じた処理を実行することで実現される。
【００４９】
アプリケーション管理部３４は、機能モジュールとして、登録情報管理部及び通知情報管理部を備える。登録情報管理部は、アプリケーションの登録情報を管理する。登録情報には、ホーム画面で表示される各アプリケーションの表象図形（アイコン）やラベル、名称の情報が含まれる。通知情報管理部は、アプリケーションのユーザ通知の情報を管理する。アプリケーションは、ユーザ通知すべき情報が生じた場合に通知情報管理部に登録する。通知情報管理部は、アプリケーションからの問い合わせを受けると、アプリケーション毎にユーザ通知情報の有無やその内容を応答する。
【００５０】
アプリケーション格納部３６は、画像形成装置１２にインストールされた各アプリケーションを格納する。アプリケーションの種類は任意であり、例えばコピーアプリケーション、スキャンアプリケーション、ファックスアプリケーション、ジョブ確認アプリケーション、機械確認アプリケーション等であり、ホーム画面に各アプリケーションのアイコンやラベルを表示するホーム画面を生成して表示するホームアプリケーションもこれに含まれる。
【００５１】
操作部２６には、ハードウェアボタンとしてホームボタンが設けられ、ユーザがこのホームボタンを押下操作すると、表示制御部３２のアプリケーション表示制御部は、この操作に応じてホームアプリケーションの起動処理を実行する。すなわち、表示制御部３２は、アプリケーション管理部３４の登録情報管理部からアプリケーションのリストを取得し、各アプリケーションのアイコンやラベルを表示する。また、表示制御部３２は、各アプリケーションのユーザ通知情報の有無を通知情報管理部に問い合わせ、ユーザ通知情報が存在する場合には、そのユーザ通知情報に基づきアプリケーション毎にユーザ通知表示を行う。さらに、表示制御部３２は、アプリケーションのアイコンがユーザにより選択操作されると、この操作に応じて対応するアプリケーションの起動処理を実行する。
【００５２】
ユーザ通知情報は、アプリケーションを実行する際に生じたイベントや異常等をユーザに知らせるもので、アプリケーション毎に決定される。ユーザ通知情報を例示すると、以下の通りである。
（１）ジョブの実行状況を確認するジョブ確認アプリケーションの場合：
実行中のジョブが存在する場合に、実行中のジョブ数、さらにはジョブ内容をユーザ通知情報として表示する。
（２）機械の状況を確認する機械確認アプリケーションの場合：
システムや消耗品に異常や警告がある場合に、異常や警告の数、さらには異常や警告の内容をユーザ通知情報として表示する。
（３）受信したファックス文書が格納される親展ボックスを閲覧するファックス受信ボックスアプリケーションの場合：
受信したファックス文書数をユーザ通知情報として表示する。
（４）プリント文書を一旦画像形成装置に蓄積し、タッチパネルからプリント文書を選択して印刷するプライベートプリントアプリケーションの場合：
蓄積されている文書数をユーザ通知情報として表示する。
【００５３】
表示制御部３２は、これらのユーザ通知情報の有無を通知情報管理部に問い合わせ、ユーザ通知情報が存在する場合には、アプリケーション毎にユーザ通知表示を行う。例えば、ホーム画面において表示されている各アプリケーションのアイコンにユーザ通知情報を重畳表示する。
【００５４】
但し、ホーム画面に表示されている各アプリケーションのアイコンにユーザ通知情報を重畳表示するのみでは、ユーザがあるアプリケーションを選択操作して当該アプリケーションを起動し、当該アプリケーション画面が表示されている状態においては、起動処理されていない他のアプリケーションのユーザ通知情報を把握できないので、ユーザはその都度、ホーム画面に戻ってユーザ通知情報の有無を確認することになり操作が煩雑となる。また、ホーム画面に多数のアプリケーションアイコンが表示されている場合には、多数のアイコンの中からユーザ通知情報が存在するアプリケーションを探すのも手間となる。
【００５５】
そこで、表示制御部３２は、アプリケーション管理部３４の通知情報管理部に問い合わせてユーザ通知情報が存在するアプリケーションのリストを作成すると、当該アプリケーションのリストをショートカットメニューに組み込んで任意の画面に表示する。
【００５６】
ショートカットメニュー表示制御部は、既述したように、ショートカットメニューの呼び出し機能、ショートカットメニューの表示機能、ショートカットメニューの実行機能を備え、ショートカットメニューを呼び出すための部品（ソフトウェアボタン）をアプリケーションの一部として組み込み、当該ソフトウェアボタンがユーザにより操作されたときにショートカットメニューを表示されているアプリケーション画面にポップアップ表示するが、このとき、ショートカットメニューの項目として、ユーザ通知情報が存在するアプリケーションのリストを表示する。
【００５７】
ショートカットメニューにユーザ通知情報が存在するアプリケーションのリストを追加表示することで、ユーザは、任意の画面においてショートカットメニューを表示及び操作するという通常操作の流れの中で、ユーザ通知情報が存在するアプリケーションのリストを確認し得る。
【００５８】
表示制御部３２及びアプリケーション管理部３４は、制御部２２がＲＡＭ１８をワーキングメモリとして用い、ＲＯＭ１６あるいはＨＤＤ２０に記憶された処理プログラムを実行することで実現される。アプリケーション格納部３６は、ＨＤＤ２０で実現される。また、機能の一部は、プログラムの実行によるソフトウェア処理ではなく、ハードウェア処理により実現してもよい。ハードウェア処理は、例えばＡＳＩＣやＦＰＧＡ（フィールドプログラマブルゲートアレイ）などの回路を用いて行ってもよい。
【００５９】
以下、本実施形態の処理をより具体的に説明する。
【００６０】
図３は、画像形成装置１２の操作部２６を示す。操作部２６は、タッチパネル４０及びハードウェア（ＨＷ）ボタン４６を含む。
【００６１】
タッチパネル４０には、表示制御部３２によりホームアプリケーション画面（ホーム画面）が表示され、ホーム画面には各種アプリケーションのアイコン及びラベルが表示される。図では、ホーム画面として、コピー、ファックス、スキャン、プリント、Ｅメール、ジョブ確認、機械確認、クラウドプリント、スキャン翻訳の各アプリケーションのアイコンが表示される状態を示す。ユーザは、所望のアプリケーションのアイコンを選択操作することで、起動処理を画像形成装置１２に指示する。
【００６２】
また、ホーム画面の予め設定された位置、例えば左上部にショートカットメニューボタン５０が表示される。表示制御部３２のショートカットメニュー表示制御部は、ショートカットメニューを呼び出すための部品としてのショートカットメニューボタン５０をホームアプリケーションを起動する際にホームアプリケーションの一部に組み込んで画面の左上に表示する。表示制御部３２がホームアプリケーションの一部にショートカットメニューボタン５０を組み込むのではなく、ホームアプリケーション側でショートカットメニューを一部に組み込んでもよい。ショートカットメニューボタン５０は、ホーム画面を含む全ての画面に組み込まれて表示される。
【００６３】
ハードウェアボタン４６は、例えば副電源ボタン４２とホームボタン４４を含む。副電源ボタン４２は、「電源を切る」、「再起動する」、「節電モードに移行する」の各ボタンを表示する画面に遷移するためのボタンである。また、ホームボタン４４は、ホーム画面に戻るためのボタンである。
【００６４】
図３において、ユーザが例えば「コピー」アイコンを選択操作すると、表示制御部３２は、この操作を検知してコピーアプリケーションを起動処理し、コピーアプリケーション画面をタッチパネル４０に表示する。アプリケーションが例えばＷｅｂアプリケーションの場合、表示制御部３２は、Ｗｅｂブラウザのレンダリングエンジン等を用いて画面表示する。
【００６５】
図４は、ユーザが「コピー」アイコンを選択操作した場合に表示される、コピーアプリケーション画面の一例を示す。コピーの部数を入力する入力フィールド、及びソフトウェアテンキーが表示される。また、コピーの属性、すなわち倍率や用紙、カラーモード等を設定するためのコピーメニュー項目が表示される。
【００６６】
コピーアプリケーション画面においても、ホーム画面と同様にショートカットメニューボタン５０が左上部に表示される。表示制御部３２のショートカットメニュー表示制御部は、コピーアプリケーションを起動する際にショートカットメニューボタン５０をコピーアプリケーションの一部に組み込んで画面の左上に表示する。
【００６７】
図４において、ユーザがショートカットメニューボタン５０を選択操作すると、表示制御部３２のショートカットメニュー表示制御部は、この操作を検知してショートカットメニューをコピーアプリケーション画面にポップアップ表示する。ショートカットメニューは、デフォルトのメニューが登録され、あるいは予めユーザが特定の項目と実行すべきアプリケーションあるいはアクションを関連付けてアプリケーション管理部３４に登録し得る。
【００６８】
図５は、ユーザがショートカットメニューボタン５０を選択操作した場合の基本的な画面例を示す。ショートカットメニューとして「アクション１」及び「アクション２」が予め登録されているものとすると、「アクション１」及び「アクション２」は、デフォルトとして登録されていてもよく、ユーザが追加登録してもよい。ショートカットメニュー表示制御部は、登録されているショートカットメニュー５２（「アクション１」及び「アクション２」から構成されるメニュー）をアプリケーション管理部３４から取得してポップアップ表示する。ユーザは、ポップアップ表示されたショートカットメニュー５２から所望のメニューを選択操作することで、所望のアクションを実行指示できる。
【００６９】
他方で、図４や図５に示されるようなコピーアプリケーション画面では、当該コピーアプリケーションにおいてユーザ通知情報が存在する場合はともかく、他のアプリケーション、例えば機械確認アプリケーションにおいてユーザ通知情報が存在していても、ユーザはこれを視認することができない。このような場合、ユーザはホームボタン４４を操作することでホーム画面に遷移行してユーザ通知情報の有無を確認し得る。
【００７０】
図６は、ユーザ通知情報が存在する場合のホーム画面例を示す。ジョブ確認アプリケーション及び機械確認アプリケーションにユーザ通知情報が存在する場合の画面例である。
表示制御部３２のアプリケーション表示制御部は、アプリケーション管理部３４の通知情報管理部に各アプリケーションのユーザ通知情報の有無を問い合わせ、ジョブ確認アプリケーション及び機械確認アプリケーションにユーザ通知情報が存在すれば、その存在及び通知数をアイコン表示する。例えば、図６に示すように、ジョブ確認アプリケーションにユーザ通知情報が３個存在すれば、黒四角形状のアイコン５４としてジョブ確認アプリケーションアイコンに重畳表示し、機械確認アプリケーションにユーザ通知情報が１個存在すれば、黒四角形状のアイコン５６として機械確認アプリケーションアイコンに重畳表示する。ユーザは、この画面により、ジョブ確認アプリケーション及び機械確認アプリケーションにユーザ通知情報が存在することを把握し得る。
【００７１】
但し、コピーアプリケーション画面からホーム画面に一旦遷移し、その後に各アプリケーション画面に遷移しなければユーザ通知情報の内容を確認できない。
【００７２】
そこで、表示制御部３２は、ショートカットメニューボタン５０が全ての画面、すなわちホーム画面のみならず他のアプリケーション画面においても常に所定位置（画面の左上部）に表示されること、及びショートカットメニューではその画面から直ちに所望の処理を実行できることに着目し、ショートカットメニューのメニュー項目に、その時点において存在するユーザ通知情報のリストを追加表示する。表示制御部３２のショートカットメニュー表示制御部は、一定の制御周期でアプリケーション管理部３４の通知情報管理部に問い合わせてユーザ通知情報の存在を確認し、ユーザ通知情報が存在すればそのリストを作成してショートカットメニューのメニュー項目に追加する。
【００７３】
例えば、ジョブ確認アプリケーションに３個のユーザ通知情報、機械確認アプリケーションに１個のユーザ通知情報が存在すれば、ショートカットメニューのメニュー項目として、「アクション１」及び「アクション２」に加え、さらにジョブ確認アプリケーションに３個のユーザ通知情報が存在する旨、及び機械確認アプリケーションに１個のユーザ通知情報が存在する旨を追加する。ユーザが追加表示されたこれらのメニュー項目を選択操作した場合、表示制御部３２は、ユーザ通知情報が存在するアプリケーション画面に遷移するように当該アプリケーションを起動処理する。
【００７４】
図７は、本実施形態の処理を模式的に示す。
【００７５】
図７（ａ）は、単にホーム画面においてユーザ通知情報を表示する場合の処理である。ユーザが、例えばコピーアプリケーション画面を表示させている場合において、他のアプリケーションのユーザ通知情報を確認するときには、コピーアプリケーション画面からホーム画面に遷移し、このホーム画面においてユーザ通知情報の有無を確認した上で、ユーザ通知情報が存在するアプリケーション画面を表示させる。
【００７６】
これに対し、図７（ｂ）は、本実施形態の処理であり、ショートカットメニューを視認することで他のアプリケーションのユーザ通知情報の存在を確認でき、しかもショートカットメニューを操作することでユーザ通知情報が存在するアプリケーション画面に直接遷移することができるので、ホーム画面に遷移する必要がない。ホーム画面をスキップしてユーザ通知情報が存在するアプリケーション画面に簡易に遷移できるといえる。
【００７７】
図８は、ユーザ通知情報を含むショートカットメニュー５２の表示例を示す。コピーアプリケーション画面においてユーザがショートカットメニューボタン５０を操作すると、予め登録された「アクション１」、「アクション２」に加え、ユーザ通知情報が存在するアプリケーションのリストとして、「ジョブ確認アプリケーション」及び「機械確認アプリケーション」が追加表示される。また、ジョブ確認アプリケーション及び機械確認アプリケーションには、ホーム画面におけるアイコン５４，５６と同様のアイコン５４，５６がそれぞれ重畳表示される。
【００７８】
なお、図８の例ではホーム画面におけるアイコン５４，５６とショートカットメニューにおけるアイコン５４，５６を同一としているが、異なる形状としてもよい。
【００７９】
図９は、図８の画面において、ユーザがショートカットメニュー５２の機械確認アプリケーションを選択操作した場合の画面例を示す。表示制御部３２のショートカットメニュー表示制御部は、ユーザの操作を検知し、機械確認アプリケーションの起動処理を実行して機械確認アプリケーション画面を表示する。機械確認アプリケーション画面では機械状態のレポートが出力され、ユーザ通知情報の存在も表示される（図における「通知」）。ユーザが「通知」ボタンを選択操作すると、ユーザ通知情報の詳細が画面表示される。
【００８０】
図１０は、機械確認アプリケーションのユーザ通知情報の画面例を示す。「システムに異常があります」等のメッセージが表示される。ユーザはこのメッセージを視認することで、画像形成装置の管理者への通報等、必要な対応を取り得る。
【００８１】
ユーザがショートカットメニューの機械確認アプリケーションを選択操作した場合、図９の画面ではなく、ユーザ通知情報の内容を示す図１０の画面に直接遷移してもよく、これによりユーザの手間がさらに削減され得る。
【００８２】
図１１は、図８の画面において、ユーザがショートカットメニュー５２の「ジョブ確認アプリケーション」を選択操作する場合を示す。
【００８３】
図１２は、ユーザがショートカットメニュー５２の「ジョブ確認アプリケーション」を選択操作した場合の画面例を示す。表示制御部３２のショートカットメニュー表示制御部は、ユーザの操作を検知し、ジョブ確認アプリケーションの起動処理を実行してジョブ確認アプリケーション画面を表示する。ジョブ確認アプリケーション画面では実行中のジョブ（図ではジョブ１、ジョブ２、ジョブ３）がリスト表示される。
【００８４】
図１２に示す画面においても、他の画面と同様にショートカットメニューボタン５０が左上部に表示される。ユーザは、このショートカットメニューボタン５０を選択してショートカットメニュー５２を表示させることで、ホーム画面に戻ることなく他のユーザ通知情報を確認し得る。
【００８５】
図１３は、本実施形態の処理フローチャートを示す。制御部２２の表示制御部３２で実行される処理である。
【００８６】
まず、表示制御部３２は、アプリケーション管理部３４の通知情報管理部に対し、ユーザ通知情報を有するアプリケーションが存在するか否かを問い合わせて判定する（Ｓ１０１）。通知情報管理部は、各アプリケーションにおいてユーザ通知情報が発生すると各アプリケーションから通知されたユーザ通知情報をアプリケーション毎に登録する。そして、表示制御部３２からの問い合わせに応じ、ユーザ通知情報を有するアプリケーションを特定して返信する。例えば、通知情報管理部は、ジョブ確認アプリケーション及び機械確認アプリケーションにユーザ通知情報があれば、その有無及びユーザ通知情報の数を表示制御部３２に返信する。
【００８７】
ユーザ通知情報を有するアプリケーションが存在する場合（Ｓ１０１でＹＥＳ）、表示制御部３２は、ユーザ通知情報を有するアプリケーションリストを作成して（Ｓ１０２）、ショートカットメニューに作成したリストを追加する（Ｓ１０３）。例えば、ユーザ通知情報を有するアプリケーションがジョブ確認アプリケーション及び機械確認アプリケーションであれば、ジョブ確認アプリケーション及び機械確認アプリケーションのリストを作成してショートカットメニューに追加する。そして、表示制御部３２は、ショートカットメニューボタンを画面の予め定めた位置、例えば左上に組み込んで表示し、ユーザからのショートカットメニューボタンの操作に応じてショートカットメニューを表示する（Ｓ１０４）。
【００８８】
ユーザがショートカットメニューを操作すると（Ｓ１０５でＹＥＳ）、表示制御部３２は、操作されたショートカットメニューに応じた処理を実行する。操作されたショートカットメニューが、リストとして表示されたアプリケーションであれば、当該アプリケーションを起動処理して当該アプリケーション画面を表示する（Ｓ１０６）。
【００８９】
ユーザ通知情報を有するアプリケーションが存在しない場合（Ｓ１０１でＮＯ）、ショートカットメニューにリストは追加されない。この場合、予め登録されたアクション等のみがショートカットメニューとして表示される。また、ユーザ操作されない場合（Ｓ１０５でＮＯ）、Ｓ１０６の処理は実行されずショートカットメニューが表示され続ける。
【００９０】
図１３の処理は、予め定めた制御周期で繰り返し実行される。従って、各アプリケーションにおいてユーザ通知情報が発生すれば、その都度、通知情報管理部に登録されるユーザ通知情報を有するアプリケーションが更新され、これに応じてショートカットメニューに追加されるリストも更新される。例えば、あるタイミングｔ１では、ユーザ通知情報を有するアプリケーションのリストが
・ジョブ確認アプリケーション
・機械確認アプリケーション
であったところ、ファックスを受信したためファックス受信ボックスアプリケーションでユーザ通知情報が新たに発生すると、次の制御タイミングｔ２ではユーザ通知情報を有するアプリケーションリストが
・ジョブ確認アプリケーション
・機械確認アプリケーション
・ファックス受信ボックスアプリケーション
に更新される。
【００９１】
他方で、ユーザがユーザ通知情報を視認した場合には、そのアプリケーションから通知情報管理部にユーザ通知情報の削除要求がなされ、通知情報管理部ではこれに応じてユーザ通知情報を削除する。従って、ユーザ通知情報が削除されたアプリケーションは、ショートカットメニューからも削除される。例えば、ある制御タイミングｔ１では、ユーザ通知情報を有するアプリケーションリストが
・ジョブ確認アプリケーション
・機械確認アプリケーション
・ファックス受信ボックスアプリケーション
であったところ、ユーザがショートカットメニューに表示されたリストからファックス受信ボックスアプリケーションを選択し、ファックス受信ボックスアプリケーションを起動処理してユーザ通知情報を確認した場合、通知情報管理部からはファックス受信ボックスアプリケーションからの要求によりファックス受信ボックスアプリケーションが削除されるので、次の制御タイミングｔ２では、ユーザ通知情報を有するアプリケーションリストは
・ジョブ確認アプリケーション
・機械確認アプリケーション
に更新される。
【００９２】
なお、ファックス受信ボックスアプリケーションで発生したユーザ通知情報の個数が例えば３個であり、ユーザがそのうち１個のみを確認した場合、通知情報管理部に登録されるユーザ通知情報の数は３個から２個に更新されるので、次の制御タイミングにおけるファックス受信ボックスアプリケーションのユーザ通知情報の数は３個から２個に更新されることは言うまでもない。他のアプリケーションについても同様である。
【００９３】
以上、本発明の実施形態について説明したが、本発明はこれに限定されず種々の変形が可能である。以下、変形例について説明する。
【００９４】
＜変形例１＞
実施形態では、任意の画面に表示されるショートカットメニューボタン及びショートカットメニューを用いてユーザ通知情報が存在するアプリケーションのリストを表示しているが、任意の画面においてショートカットボタンとは別のボタンを表示するとともに、ユーザが当該別のボタンを選択操作した場合にユーザ通知情報が存在するアプリケーションのリストを表示してもよい。
【００９５】
図１４は、この場合の画面例を示す。コピーアプリケーション画面の左上にショートカットメニューボタン５０が表示されるとともに、これと並存してユーザ通知ボタン６０が表示される。具体的には、表示制御部３２のアプリケーション表示制御部は、コピーアプリケーションを起動処理してコピーアプリケーション画面を表示する際に、アプリケーション管理部３４の通知情報管理部にユーザ通知情報が存在するアプリケーションの有無を問い合わせ、ユーザ通知情報を有するアプリケーションがあればユーザ通知ボタン６０をその一部に組み込んで表示する。
【００９６】
ユーザがユーザ通知ボタン６０を選択操作すると、通知情報登録部から取得して作成したアプリケーションのリスト６２、すなわちユーザ通知情報を有するアプリケーションのリスト６２をポップアップ表示する。図１４では、ユーザ通知情報を有するアプリケーションとしてジョブ確認アプリケーション及び機械確認アプリケーションが存在する場合を示す。このとき、アプリケーション毎にユーザ通知情報の数を表示してもよい。
【００９７】
なお、通知情報管理部にアプリケーションが登録されていない、すなわちユーザ通知情報を有するアプリケーションが存在しない場合には、ユーザ通知ボタン６０は表示されない。ユーザは、ショートカットメニューボタン５０のみが表示され、ユーザ通知ボタン６０が非表示であることをもって、アプリケーションにユーザ通知情報が生じていないことを認識できる。また、リスト６２から所望のアプリケーションを選択操作することで、ホーム画面に戻ることなくユーザ通知情報の内容を確認し得る。
【００９８】
ユーザ通知ボタン６０は、ショートカットメニューボタン５０とは別に表示されるが、これも特定の画面や処理をショートカットして実行するものであるからショートカットメニューボタンの一つといえ、ショートカットメニュー５０は第１ショートカットメニューボタン、ユーザ通知ボタン６０は第２ショートカットメニューボタンとして機能するといえる。リスト６２も同様に第２ショートカットメニューボタンを操作した場合に表示されるショートカットメニューといえる。
【００９９】
＜変形例２＞
実施形態では、任意の画面に表示されるショートカットメニューボタン及びショートカットメニューを用いてユーザ通知情報が存在するアプリケーションのリストを表示しているが、任意の画面においてユーザが特定操作、例えば画面のスペース位置を長押しした場合にユーザ通知情報が存在するアプリケーションのリストを表示してもよい。
【０１００】
図１５は、この場合の画面例を示す。コピーアプリケーション画面の左上にショートカットメニューボタン５０が表示される。
【０１０１】
ユーザが画面のスペース部分（アイテムが表示されていない部分）を長押しすると、表示制御部３２は、ユーザの当該長押し操作を検知し、通知情報登録部から取得して作成したアプリケーションのリスト７２、すなわちユーザ通知情報を有するアプリケーションのリスト７２をポップアップ表示する。図１５では、ユーザ通知情報を有するアプリケーションとしてジョブ確認アプリケーション及び機械確認アプリケーションが存在する場合を示す。このとき、アプリケーション毎にユーザ通知情報の数を表示してもよい。
【０１０２】
なお、通知情報管理部にアプリケーションが登録されていない、すなわちユーザ通知情報を有するアプリケーションが存在しない場合には、ユーザが長押ししてもリスト７２は表示されない。これに代えて、
「ユーザ通知情報はありません。」
とのメッセージをポップアップ表示してもよい。
【０１０３】
図１６は、変形例の処理フローチャートを示す。制御部２２の表示制御部３２で実行される処理である。
【０１０４】
まず、表示制御部３２は、アプリケーション管理部３４の通知情報管理部に対し、ユーザ通知情報を有するアプリケーションが存在するか否かを問い合わせて判定する（Ｓ２０１）。通知情報管理部は、各アプリケーションにおいてユーザ通知情報が発生すると各アプリケーションから通知されたユーザ通知情報をアプリケーション毎に登録する。そして、表示制御部３２からの問い合わせに応じ、ユーザ通知情報を有するアプリケーションを特定して返信する。例えば、通知情報管理部は、ジョブ確認アプリケーション及び機械確認アプリケーションにユーザ通知情報があれば、その有無及びユーザ通知情報の数を表示制御部３２に返信する。
【０１０５】
ユーザ通知情報を有するアプリケーションが存在する場合（Ｓ２０１でＹＥＳ）、表示制御部３２は、ユーザ通知情報を有するアプリケーションリストを作成する（Ｓ２０２）。例えば、ユーザ通知情報を有するアプリケーションがジョブ確認アプリケーション及び機械確認アプリケーションであれば、ジョブ確認アプリケーション及び機械確認アプリケーションのリストを作成する。
【０１０６】
次に、表示制御部３２は、ユーザによる特定操作がなされたか否かを判定する（Ｓ２０３）。特定操作は、例えばオブジェクトが表示されていないスペース部分での長押し操作である。ユーザの特定操作を検知すると、表示制御部３２は、作成したリストを表示する（Ｓ２０４）。
【０１０７】
ユーザがリストを選択操作すると（Ｓ２０５でＹＥＳ）、表示制御部３２は、選択された当該アプリケーションを起動処理して当該アプリケーション画面を表示する（Ｓ２０６）。
【０１０８】
図１６の処理も、図１３と同様に予め定めた制御周期で繰り返し実行される。従って、各アプリケーションにおいてユーザ通知情報が発生すれば、その都度、通知情報管理部に登録されるユーザ通知情報を有するアプリケーションが更新され、これに応じてリストも更新される。例えば、あるタイミングｔ１では、ユーザ通知情報を有するアプリケーションのリストが
・ジョブ確認アプリケーション
・機械確認アプリケーション
であったところ、ファックスを受信したためファックス受信ボックスアプリケーションでユーザ通知情報が新たに発生すると、次の制御タイミングｔ２ではユーザ通知情報を有するアプリケーションリストが
・ジョブ確認アプリケーション
・機械確認アプリケーション
・ファックス受信ボックスアプリケーション
に更新される。
【０１０９】
他方で、ユーザがユーザ通知情報を視認した場合には、そのアプリケーションから通知情報管理部にユーザ通知情報の削除要求がなされ、通知情報管理部ではこれに応じてユーザ通知情報を削除する。従って、ユーザ通知情報が削除されたアプリケーションは、ショートカットメニューからも削除される。例えば、ある制御タイミングｔ１では、ユーザ通知情報を有するアプリケーションリストが
・ジョブ確認アプリケーション
・機械確認アプリケーション
・ファックス受信ボックスアプリケーション
であったところ、ユーザがショートカットメニューに表示されたリストからファックス受信ボックスアプリケーションを選択し、ファックス受信ボックスアプリケーションを起動処理してユーザ通知情報を確認した場合、通知情報管理部からはファックス受信ボックスアプリケーションからの要求によりファックス受信ボックスアプリケーションが削除されるので、次の制御タイミングｔ２では、ユーザ通知情報を有するアプリケーションリストは
・ジョブ確認アプリケーション
・機械確認アプリケーション
に更新される。
【０１１０】
Ｓ２０３の処理では、特定操作として長押しを例示したが、これ以外にもタッチパネル４０に対する任意の操作が用いられ得る。例えば、２本指でのタップ操作、ダブルタップ操作、フリック操作等である。
【０１１１】
また、表示制御部３２は、ユーザの特定操作を検知した場合に、直ちにユーザ通知情報が存在するアプリケーションのリストをショートカットメニューで表示するのではなく、「ユーザ通知情報のアプリケーションリストを表示しますか？」等のポップアップメッセージを表示してユーザに問い合わせ、ユーザが肯定した場合にアプリケーションリストを表示してもよい。
【０１１２】
＜変形例３＞
実施形態において、ユーザ通知情報を有するアプリケーションが複数存在する場合に、一定のルールの下でその表示順序を設定してもよい。
【０１１３】
例えば、ユーザ通知情報に重要度（例えば３段階の高、中、低）を設定し、ジョブ確認アプリケーションのユーザ通知情報の重要度が低、機械確認アプリケーションのユーザ通知情報の重要度が高である場合に、
・機械確認アプリケーション
・ジョブ確認アプリケーション
の順でリスト表示する等である。このとき、ユーザ通知情報の重要度についても併せて表示してもよい。例えば、
・機械確認アプリケーション（通知重要度：高）
・ジョブ確認アプリケーション（通知重要度：低）
等である。重要度を図１１のアイコン５４，５６の色で表示してもよい。高重要度のユーザ通知情報を赤で表示し、低重要度のユーザ通知情報を緑で表示する等である。これにより、ユーザは、ユーザ通知情報の有無のみならず、そのユーザ通知情報の重要度も把握できる。
【０１１４】
また、表示制御部３２は、必ずしもユーザ通知情報が存在する全てのアプリケーションをリストとして表示するのではなく、ユーザ通知情報が存在するアプリケーションの少なくともいずれかをリストとして表示してもよい。例えば、重要度が閾値以上のユーザ通知情報が存在するアプリケーションのみをリストとして表示する等である。
【０１１５】
また、ユーザ通知情報の数に応じ、ユーザ通知情報の数が多いほど上位に表示するようにしてもよい。例えば、ジョブ確認アプリケーション、機械確認アプリケーション、ファックス受信ボックスアプリケーションのユーザ通知情報の数がそれぞれ３個，１個，４個である場合に、
・ファックス受信ボックスアプリケーション
・ジョブ確認アプリケーション
・機械確認アプリケーション
と表示する等である。
【０１１６】
また、ユーザ通知情報の時系列順に応じ、ユーザ通知情報が古いほど（あるいは新しいほど）上位に表示するようにしてもよい。例えば、ジョブ確認アプリケーションにユーザ通知情報が生じ、その後に、ファックス受信ボックスアプリケーションにユーザ通知情報が生じた場合に、ユーザ通知情報が新しい順に、
・ファックス受信ボックスアプリケーション
・ジョブ確認アプリケーション
と表示する等である。
【０１１７】
さらに、ユーザ通知情報の属性（重要度、数、時系列等）ではなく、アプリケーションの属性に応じて表示順序を設定してもよい。例えば、アプリケーション管理部３４において各アプリケーションの使用回数を登録しておき、ユーザ通知情報が存在するアプリケーションのうち、使用回数が多いものほど上位に表示するようにしてもよい。
【０１１８】
ユーザ通知情報の重要度、数、時系列は適宜組み合わされてアプリケーションの表示順序を設定し得る。例えば、ユーザ通知情報が新しいほど、かつ、重要度が高いほど上位となるように設定する等である。
【０１１９】
ユーザ通知情報が存在するアプリケーションの表示順序は、デフォルトのルールに従って設定してもよく、ユーザあるいは画像形成装置１２の管理者が適宜ルールを設定可能としてもよい。
【符号の説明】
【０１２０】
１０  端末装置、１２  画像形成装置、１４  通信ネットワーク、２６  操作部、３２  表示制御部、３４  アプリケーション管理部、３６  アプリケーション格納部。
【図１】
2020013279.tif 000003
【図２】
2020013279.tif 000004
【図３】
2020013279.tif 000005
【図４】
2020013279.tif 000006
【図５】
2020013279.tif 000007
【図６】
2020013279.tif 000008
【図７】
2020013279.tif 000009
【図８】
2020013279.tif 000010
【図９】
2020013279.tif 000011
【図１０】
2020013279.tif 000012
【図１１】
2020013279.tif 000013
【図１２】
2020013279.tif 000014
【図１３】
2020013279.tif 000015
【図１４】
2020013279.tif 000016
【図１５】
2020013279.tif 000017
【図１６】
2020013279.tif 000018